(57)【要約】【課題】異なる径および長さを有するフィクスチャであっても確実に固定可能であり、かつ容易に収容可能なフィクスチャ収容容器を提供する。【解決手段】本発明のフィクスチャ収容容器は、歯科用インプラントのフィクスチャの先端を受け入れ可能なフィクスチャ受け入れ空間を有するフィクスチャ保持部と、少なくとも一端が開口し、前記フィクスチャ保持部の周囲を取り囲む筒状のハウジング部と、を備え、前記フィクスチャ保持部は、前記フィクスチャの軸方向において前記開口の近位側に設けられ、前記先端の近傍の周面と係合して前記フィクスチャを保持する保持径が大径となる大径側係合領域と、前記フィクスチャの軸方向において前記開口の遠位側に設けられ、前記先端の近傍の周面と係合して前記フィクスチャを保持する保持径が小径となる小径側係合領域と、を有する。【選択図】  図５
2019097680.tif 000002
【特許請求の範囲】
【請求項１】
先端側から顎骨に挿入され、後端側に上部構造体が取り付けられる歯科用インプラントのフィクスチャの前記先端を受け入れ可能なフィクスチャ受け入れ空間を有するフィクスチャ保持部と、
少なくとも一端が開口し、前記フィクスチャ保持部の周囲を取り囲む筒状のハウジング部と、
を備え、
前記フィクスチャ保持部は、
前記フィクスチャの軸方向において前記開口の近位側に設けられ、前記先端の近傍の周面と係合して前記フィクスチャを保持する保持径が大径となる大径側係合領域と、
前記フィクスチャの軸方向において前記開口の遠位側に設けられ、前記先端の近傍の周面と係合して前記フィクスチャを保持する保持径が小径となる小径側係合領域と、
を有することを特徴とする、
フィクスチャ収容容器。
【請求項２】
前記フィクスチャ保持部は、前記軸方向に沿って前記先端に進むに従って前記保持径が階段状に小さくなる複数の段部を有することを特徴とする、
請求項１に記載のフィクスチャ収容容器。
【請求項３】
前記段部は、
前記フィクスチャの径方向内側へ延びる開口近位側辺部と、
前記開口近位側辺部の径方向内側端から連続して前記フィクスチャの前記先端側へ延びる開口遠位側辺部と、
を有することを特徴とする、
請求項２に記載のフィクスチャ収容容器。
【請求項４】
前記フィクスチャ保持部は、前記フィクスチャの前記後端から前記先端に進むに従って、前記フィクスチャの径方向内側に向かう傾斜部を有することを特徴とする、
請求項１に記載のフィクスチャ収容容器。
【請求項５】
前記フィクスチャ保持部は、複数の板状体により構成され、
複数の前記板状体は、自身の面が前記軸方向および前記径方向に沿うように配置されることを特徴とする、
請求項１〜４のいずれかに記載のフィクスチャ収容容器。
【請求項６】
前記フィクスチャ保持部と前記ハウジング部の前記径方向の相対移動を規制する径方向移動規制部を備えることを特徴とする、
請求項１〜５のいずれかに記載のフィクスチャ収容容器。
【請求項７】
前記径方向移動規制部は、前記フィクスチャ保持部を保持するホルダ部により構成され、
前記ホルダ部は、自身と前記フィクスチャ保持部の前記径方向の相対移動を規制すると共に、前記ハウジング部の内周面と当接して、自身と前記ハウジング部の前記径方向の相対移動を規制することを特徴とする、
請求項６に記載のフィクスチャ収容容器。
【請求項８】
前記フィクスチャ保持部は、前記ハウジング部の内周面と当接する前記フィクスチャ保持部の当接辺部を有し、
前記径方向移動規制部は、前記当接辺部により構成されることを特徴とする、
請求項６に記載のフィクスチャ収容容器。
【請求項９】
前記ハウジング部は、前記径方向移動規制部として、前記フィクスチャ保持部の前記径方向の移動が規制されるよう前記フィクスチャ保持部を保持するハウジング側ホルダ部を有することを特徴とする、
請求項６に記載のフィクスチャ収容容器。
【請求項１０】
前記軸方向における前記フィクスチャ保持部の移動を規制する軸方向移動規制部を備えることを特徴とする、
請求項１〜５のいずれかに記載のフィクスチャ収容容器。
【請求項１１】
前記軸方向移動規制部は、前記フィクスチャ保持部の前記軸方向の移動が規制されるよう前記フィクスチャ保持部を保持するホルダ部により構成され、
前記ホルダ部は、前記ハウジング部の底面と当接して前記軸方向の移動が規制される形状を有することを特徴とする、
請求項１０に記載のフィクスチャ収容容器。
【請求項１２】
前記ホルダ部は、凹部を有し、
前記凹部は、前記径方向における自身と対向する位置から見て、Ｌ字型、またはＴ字型に形成されることを特徴とする、
請求項１１に記載のフィクスチャ収容容器。
【請求項１３】
前記ハウジング部の底面と前記フィクスチャ保持部との間に介在して前記軸方向における前記フィクスチャ保持部の位置を決定する軸方向延在部を備えることを特徴とする、
請求項１〜１２のいずれかに記載のフィクスチャ収容容器。
【請求項１４】
前記ハウジング部の前記開口を覆う蓋部を備え、
前記蓋部は、前記フィクスチャの前記後端側から前記先端側に向かう方向に凸となって前記フィクスチャの前記後端に当接する凸部を有し、
前記凸部は、前記後端側から前記フィクスチャ保持部に保持される前記フィクスチャに当接して、自身と前記フィクスチャの前記軸方向における相対移動を規制することを特徴とする、
請求項１〜１３のいずれかに記載のフィクスチャ収容容器。
【請求項１５】
先端側から顎骨に挿入され、後端側に上部構造体が取り付けられる歯科用インプラントのフィクスチャの前記先端を受け入れ可能なフィクスチャ受け入れ空間を有するフィクスチャ保持部と、
少なくとも一端が開口し、前記フィクスチャ保持部の周囲を取り囲む筒状のハウジング部と、
前記フィクスチャの径方向における前記フィクスチャ保持部の移動が規制されるよう前記フィクスチャ保持部を保持すると共に、前記ハウジング部の内周面と当接して前記径方向の移動が規制されるホルダ部と、
前記ハウジング部の底面と前記ホルダ部との間に介在して前記フィクスチャの軸方向における前記フィクスチャ保持部の位置を決定するスペーサ部と、
を備え、
前記フィクスチャ保持部は、
前記ハウジング部の軸方向において前記開口の近位側に設けられ、前記先端の近傍の周面と係合して前記フィクスチャを保持する保持径が大径となる大径側係合領域と、
前記フィクスチャの軸方向において前記開口の遠位側に設けられ、前記先端の近傍の周面と係合して前記フィクスチャを保持する保持径が小径となる小径側係合領域と、
を有することを特徴とする、
フィクスチャ収容容器。
【請求項１６】
請求項１３に記載の複数のフィクスチャ収容容器により構成されるフィクスチャ収容容器シリーズであって、
前記ハウジング部および前記フィクスチャ保持部は、複数の前記フィクスチャ収容容器の間でそれぞれ形状およびサイズが同じであり、
前記軸方向延在部は、複数の前記フィクスチャ収容容器の間で、前記軸方向の長さが互いに異なることを特徴とする、
フィクスチャ収容容器シリーズ。
【請求項１７】
請求項７、１１および１２のいずれかに記載の複数のフィクスチャ収容容器により構成されるフィクスチャ収容容器シリーズであって、
前記ホルダ部は、複数の前記フィクスチャ収容容器の間で、互いに異なる色に着色されることを特徴とする、
フィクスチャ収容容器シリーズ。
【請求項１８】
複数の前記フィクスチャ収容容器は、それぞれ前記ハウジング部の前記開口を覆う蓋部を備え、
前記蓋部は、前記ホルダ部と同じ色に着色されることを特徴とする、
請求項１７に記載のフィクスチャ収容容器シリーズ。
【請求項１９】
請求項１４に記載の複数のフィクスチャ収容容器により構成されるフィクスチャ収容容器シリーズであって、
前記蓋部は、複数の前記フィクスチャ収容容器の間で、互いに異なる色に着色されることを特徴とする、
フィクスチャ収容容器シリーズ。
【請求項２０】
請求項７、１１および１２のいずれかに記載の複数のフィクスチャ収容容器により構成されるフィクスチャ収容容器シリーズであって、
前記ハウジング部および前記フィクスチャ保持部は、複数の前記フィクスチャ収容容器の間で、それぞれ形状およびサイズが同じであり、
前記ホルダ部は、複数の前記フィクスチャ収容容器の間で、前記軸方向の長さが互いに異なることを特徴とする、
フィクスチャ収容容器シリーズ。
【請求項２１】
請求項１５に記載の複数のフィクスチャ収容容器により構成されるフィクスチャ収容容器シリーズであって、
前記ハウジング部、前記フィクスチャ保持部および前記ホルダ部は、複数の前記フィクスチャ収容容器の間で、それぞれ形状およびサイズが同じであり、
前記スペーサ部は、複数の前記フィクスチャ収容容器の間で、前記軸方向の長さが互いに異なることを特徴とする、
フィクスチャ収容容器シリーズ。
【発明の詳細な説明】
【技術分野】
【０００１】
本発明は、歯科用インプラントのフィクスチャを収容するフィクスチャ収容容器、および、複数の当該フィクスチャ収容容器で構成されるフィクスチャ収容容器シリーズに関する。
【背景技術】
【０００２】
歯科用インプラントのフィクスチャ（以下、単に、フィクスチャと呼ぶ。）は、人工歯の土台として、顎骨に設けられる埋め込み穴に埋め込まれるものである。従って、フィクスチャが使用される前において、フィクスチャは、衛生的な状態が維持されることが望まれる。そして、通常、フィクスチャは、容器に収められた状態で滅菌される。このような専用容器として、図１５（Ａ）に示すように、収納体本体８２０と、収納体本体の軸方向に延びる細長い長方形板状のガイド部８１０および底部８３０により構成されるインプラントフィクスチャ保持部材と、押え部８６０を有するキャップ８７０とから構成されるインプラントフィクスチャ用収納容器８００が提案されている（例えば、特許文献１参照）。ガイド部８１０は、３つ設けられる。フィクスチャ８５０が収納体本体８２０に挿入されると、フィクスチャ８５０は、インプラントフィクスチャ保持部材を構成する底部８３０とガイド部８１０に案内されて、収納体本体８２０の軸方向と自身の軸方向とが平行になるような姿勢で保持される。そして、収納体本体８２０にキャップ８７０を装着すると、押え部８６０は、フィクスチャ８５０の後端８５１側の面と当接して、フィクスチャ８５０を収納体本体８２０の軸方向の底面部８３０側に押し付ける。これにより、フィクスチャ８５０は、キャップ８７０の押え部８６０とインプラントフィクスチャ保持部材の底部８３０とで挟持される。
【先行技術文献】
【特許文献】
【０００３】
【特許文献１】特開２０１１−２１８０３９号公報
【発明の概要】
【発明が解決しようとする課題】
【０００４】
図１５（Ａ）に示すように、上記インプラントフィクスチャ用収納容器８００において複数のガイド部８１０は、自身の長手方向と収納体本体８２０の軸方向が平行になるように底部８３０から立設されている。また、複数のガイド部８１０は、円柱形状の底部８３０の周方向に配置される。そして、フィクスチャ８５０は、複数のガイド部８１０に取り囲まれる収容空間８４０に収容される。この収容空間８４０は、図１５（Ｂ）に示すように、最大径が径Ｒ１であるフィクスチャまでを収容可能である。
【０００５】
ところで、最大径が径Ｒ１よりも小さい径Ｒ２を有するフィクスチャ８５０Ａを収容空間８４０に収容する場合、図１５（Ｂ）に示すように、フィクスチャ８５０Ａとガイド部８１０との間に隙間８８０ができる。隙間８００が大きいと、ガイド部８１０は、フィクスチャ８５０Ａの軸方向と収納体本体８２０の軸方向が平行になるようフィクスチャ８５０Ａを案内し難い。結果、キャップ８７０の押え部８６０とインプラントフィクスチャ保持部材の底部８３０とでフィクスチャ８５０を挟持させる作業が困難になる。
【０００６】
一方で、上記隙間８８０の無い収容空間８４０が形成されるようフィクスチャの最大径に応じて、ガイド部８１０のサイズまたは位置を変更する場合、適応するガイド部８１０および底部８３０をフィクスチャの径毎に用意しなければならない。ガイド部８１０および底部８３０のようなフィクスチャと接触する部分は、生体適合性（例えば、チタン）を有する材料により形成されることが好ましいが、生体適合性（例えば、チタン）を有する材料は高価である。結果、上記のようにしてフィクスチャの径に応じた様々な容器を用意する場合、高コストになる。
【０００７】
本発明は、斯かる実情に鑑み、異なる径および長さを有するフィクスチャであっても確実に固定可能であり、かつ容易に収容可能なフィクスチャ収容容器を提供しようとするものである。また、複数の当該フィクスチャ収容容器で構成されるフィクスチャ収容容器シリーズを提供しようとするものである。
【課題を解決するための手段】
【０００８】
本発明は、上記課題を解決するためになされたものであり、本発明のフィクスチャ収容容器は、先端側から顎骨に挿入され、後端側に上部構造体が取り付けられる歯科用インプラントのフィクスチャの前記先端を受け入れ可能なフィクスチャ受け入れ空間を有するフィクスチャ保持部と、少なくとも一端が開口し、前記フィクスチャ保持部の周囲を取り囲む筒状のハウジング部と、を備え、前記フィクスチャ保持部は、前記フィクスチャの軸方向において前記開口の近位側に設けられ、前記先端の近傍の周面と係合して前記フィクスチャを保持する保持径が大径となる大径側係合領域と、前記フィクスチャの軸方向において前記開口の遠位側に設けられ、前記先端の近傍の周面と係合して前記フィクスチャを保持する保持径が小径となる小径側係合領域と、を有することを特徴とする。
【０００９】
また、本発明のフィクスチャ収容容器において、前記フィクスチャ保持部は、前記軸方向に沿って前記先端に進むに従って前記保持径が階段状に小さくなる複数の段部を有することを特徴とする。
【００１０】
また、本発明のフィクスチャ収容容器において、前記段部は、前記フィクスチャの径方向内側へ延びる開口近位側辺部と、前記開口近位側辺部の径方向内側端から連続して前記フィクスチャの前記先端側へ延びる開口遠位側辺部と、を有することを特徴とする。
【００１１】
また、本発明のフィクスチャ収容容器において、前記フィクスチャ保持部は、前記フィクスチャの前記後端から前記先端に進むに従って、前記フィクスチャの径方向内側に向かう傾斜部を有することを特徴とする。
【００１２】
また、本発明のフィクスチャ収容容器において、前記フィクスチャ保持部は、複数の板状体により構成され、複数の前記板状体は、自身の面が前記軸方向および前記径方向に沿うように配置されることを特徴とする。
【００１３】
また、本発明のフィクスチャ収容容器において、前記フィクスチャ保持部と前記ハウジング部の前記径方向の相対移動を規制する径方向移動規制部を備えることを特徴とする。
【００１４】
また、本発明のフィクスチャ収容容器において、前記径方向移動規制部は、前記フィクスチャ保持部を保持するホルダ部により構成され、前記ホルダ部は、自身と前記フィクスチャ保持部の前記径方向の相対移動を規制すると共に、前記ハウジング部の内周面と当接して、自身と前記ハウジング部の前記径方向の相対移動を規制することを特徴とする。
【００１５】
また、本発明のフィクスチャ収容容器において、前記フィクスチャ保持部は、前記ハウジング部の内周面と当接する前記フィクスチャ保持部の当接辺部を有し、前記径方向移動規制部は、前記当接辺部により構成されることを特徴とする。
【００１６】
また、本発明のフィクスチャ収容容器において、前記ハウジング部は、前記径方向移動規制部として、前記フィクスチャ保持部の前記径方向の移動が規制されるよう前記フィクスチャ保持部を保持するハウジング側ホルダ部を有することを特徴とする。
【００１７】
また、本発明のフィクスチャ収容容器において、前記軸方向における前記フィクスチャ保持部の移動を規制する軸方向移動規制部を備えることを特徴とする。
【００１８】
また、本発明のフィクスチャ収容容器において、前記軸方向移動規制部は、前記フィクスチャ保持部の前記軸方向の移動が規制されるよう前記フィクスチャ保持部を保持するホルダ部により構成され、前記ホルダ部は、前記ハウジング部の底面と当接して前記軸方向の移動が規制される形状を有することを特徴とする。
【００１９】
また、本発明のフィクスチャ収容容器において、前記ホルダ部は、凹部を有し、前記凹部は、前記径方向における自身と対向する位置から見て、Ｌ字型、またはＴ字型に形成されることを特徴とする。
【００２０】
また、本発明のフィクスチャ収容容器において、前記ハウジング部の底面と前記フィクスチャ保持部との間に介在して前記軸方向における前記フィクスチャ保持部の位置を決定する軸方向延在部を備えることを特徴とする。
【００２１】
また、本発明のフィクスチャ収容容器において、前記ハウジング部の前記開口を覆う蓋部を備え、前記蓋部は、前記フィクスチャの前記後端側から前記先端側に向かう方向に凸となって前記フィクスチャの前記後端に当接する凸部を有し、前記凸部は、前記後端側から前記フィクスチャ保持部に保持される前記フィクスチャに当接して、自身と前記フィクスチャの前記軸方向における相対移動を規制することを特徴とする。
【００２２】
また、本発明のフィクスチャ収容容器は、先端側から顎骨に挿入され、後端側に上部構造体が取り付けられる歯科用インプラントのフィクスチャの前記先端を受け入れ可能なフィクスチャ受け入れ空間を有するフィクスチャ保持部と、少なくとも一端が開口し、前記フィクスチャ保持部の周囲を取り囲む筒状のハウジング部と、前記フィクスチャの径方向における前記フィクスチャ保持部の移動が規制されるよう前記フィクスチャ保持部を保持すると共に、前記ハウジング部の内周面と当接して前記径方向の移動が規制されるホルダ部と、前記ハウジング部の底面と前記ホルダ部との間に介在して前記フィクスチャの軸方向における前記フィクスチャ保持部の位置を決定するスペーサ部と、を備え、前記フィクスチャ保持部は、前記ハウジング部の軸方向において前記開口の近位側に設けられ、前記先端の近傍の周面と係合して前記フィクスチャを保持する保持径が大径となる大径側係合領域と、前記フィクスチャの軸方向において前記開口の遠位側に設けられ、前記先端の近傍の周面と係合して前記フィクスチャを保持する保持径が小径となる小径側係合領域と、を有することを特徴とする。
【００２３】
また、本発明の第一のフィクスチャ収容容器シリーズは、上記に記載の複数のフィクスチャ収容容器により構成されるフィクスチャ収容容器シリーズであって、前記ハウジング部および前記フィクスチャ保持部は、複数の前記フィクスチャ収容容器の間でそれぞれ形状およびサイズが同じであり、前記軸方向延在部は、複数の前記フィクスチャ収容容器の間で、前記軸方向の長さが互いに異なることを特徴とする。
【００２４】
また、本発明の第二のフィクスチャ収容容器シリーズは、上記に記載の複数のフィクスチャ収容容器により構成されるフィクスチャ収容容器シリーズであって、前記ホルダ部は、複数の前記フィクスチャ収容容器の間で、互いに異なる色に着色されることを特徴とする。
【００２５】
また、本発明の第二のフィクスチャ収容容器シリーズにおいて、複数の前記フィクスチャ収容容器は、それぞれ前記ハウジング部の前記開口を覆う蓋部を備え、前記蓋部は、前記ホルダ部と同じ色に着色されることを特徴とする。
【００２６】
また、本発明の第三のフィクスチャ収容容器シリーズは、上記に記載の複数のフィクスチャ収容容器により構成されるフィクスチャ収容容器シリーズであって、前記蓋部は、複数の前記フィクスチャ収容容器の間で、互いに異なる色に着色されることを特徴とする。
【００２７】
また、本発明の第四のフィクスチャ収容容器シリーズは、上記に記載の複数のフィクスチャ収容容器により構成されるフィクスチャ収容容器シリーズであって、前記ハウジング部および前記フィクスチャ保持部は、複数の前記フィクスチャ収容容器の間で、それぞれ形状およびサイズが同じであり、前記ホルダ部は、複数の前記フィクスチャ収容容器の間で、前記軸方向の長さが互いに異なることを特徴とする。
【００２８】
また、本発明の第五のフィクスチャ収容容器シリーズは、上記に記載の複数のフィクスチャ収容容器により構成されるフィクスチャ収容容器シリーズであって、前記ハウジング部、前記フィクスチャ保持部および前記ホルダ部は、複数の前記フィクスチャ収容容器の間で、それぞれ形状およびサイズが同じであり、前記スペーサ部は、複数の前記フィクスチャ収容容器の間で、前記軸方向の長さが互いに異なることを特徴とする。
【発明の効果】
【００２９】
本発明のフィクスチャ収容容器によれば、異なる径および長さを有するフィクスチャであっても確実に固定可能であり、かつ容易に収容することができる。また、本発明のフィクスチャ収容容器シリーズによれば、大部分の部品を共用化することができるため、部品管理の負担、およびコストを低減することができる。
【図面の簡単な説明】
【００３０】
【図１】本発明の実施形態におけるフィクスチャ収容容器を構成する各部および歯科用インプラントのフィクスチャの斜視図である。
【図２】（Ａ）は、歯科用インプラントのフィクスチャが収容される前の本発明の実施形態におけるフィクスチャ収容容器の内部の斜視図である。（Ｂ）は、歯科用インプラントのフィクスチャが収容されたときの本発明の実施形態におけるフィクスチャ収容容器の内部の斜視図である。
【図３】（Ａ）は、本発明の実施形態におけるフィクスチャ保持部の係合部とフィクスチャ受入空間との位置関係を示す概略図である。（Ｂ）は、本発明の実施形態におけるフィクスチャ保持部の変形例を示す斜視図である。
【図４】（Ａ）は、本発明の実施形態におけるフィクスチャ保持部の側面図である。（Ｂ）〜（Ｅ）は、それぞれ本発明の実施形態におけるフィクスチャ保持部の変形例の側面図である。
【図５】（Ａ）は、本発明の実施形態におけるフィクスチャ保持部に大径のフィクスチャが保持された態様の斜視図である。（Ｂ）は、本発明の実施形態におけるフィクスチャ保持部に小径のフィクスチャが保持された態様の斜視図である。
【図６】（Ａ）は、本発明の実施形態における係合部のうち開口近位側辺部にフィクスチャが係合する様子を示すフィクスチャの径方向断面図である。（Ｂ）は、本発明の実施形態における係合部のうち開口遠位側辺部にフィクスチャが係合する様子を示すフィクスチャの径方向断面図である。
【図７】（Ａ）は、本発明の実施形態におけるフィクスチャ収容容器の内部の斜視図である。（Ｂ）は、本発明の実施形態におけるフィクスチャ保持部およびホルダ部の斜視図である。（Ｃ）は、本発明の実施形態におけるフィクスチャ収容容器の内部の平面図である。
【図８】（Ａ）〜（Ｆ）は、本発明の実施形態におけるホルダ部の凹部の変形例を示す図である。
【図９】（Ａ）は、歯科用インプラントの２回法のフィクスチャが収容される前の本発明の実施形態におけるフィクスチャ収容容器の内部の斜視図である。（Ｂ）は、歯科用インプラントの２回法のフィクスチャが収容されたときの本発明の実施形態におけるフィクスチャ収容容器の内部の斜視図である。
【図１０】（Ａ）は、軸方向の長さが異なる複数の大径のフィクスチャのシリーズを示す斜視図である。（Ｂ）は、軸方向の長さが異なる複数の小径のフィクスチャのシリーズを示す斜視図である。
【図１１】（Ａ）〜（Ｄ）は、スペーサ部によりフィクスチャ保持部の位置を調整する本発明の実施形態におけるフィクスチャ収容容器シリーズを示す図である。
【図１２】（Ａ）〜（Ｄ）は、軸方向の長さの異なるホルダ部でフィクスチャ保持部の位置を調整する本発明の実施形態におけるフィクスチャ収容容器シリーズを示す図である。
【図１３】（Ａ）〜（Ｄ）は、軸方向の長さの異なるフィクスチャ保持側延長部でフィクスチャ保持部の位置を調整する本発明の実施形態におけるフィクスチャ収容容器シリーズを示す図である。
【図１４】（Ａ）〜（Ｄ）は、径毎にホルダ部と蓋部の着色を変えた本発明の実施形態におけるフィクスチャ収容容器シリーズを示す図である。
【図１５】（Ａ）は、従来のフィクスチャ収容容器の概略図である。（Ｂ）は、フィクスチャが収容された従来のフィクスチャ収容容器の断面図である。
【発明を実施するための形態】
【００３１】
以下、本発明の実施の形態を添付図面を参照して説明する。
【００３２】
＜全体構成＞
図１を参照して、本発明の第一実施形態におけるフィクスチャ収容容器１について説明する。フィクスチャ収容容器１は、歯科用インプラントのフィクスチャ９００を収容するものである。フィクスチャ収容容器１は、例えば、ハウジング部１０と、フィクスチャ保持部１１と、径方向移動規制部１２と、軸方向移動規制部１３と、蓋部１４と、軸方向延在部１５と、を備える。
【００３３】
＜歯科用インプラントのフィクスチャ＞
図１を参照して、フィクスチャ９００について説明する。フィクスチャ９００は、例えば、顎骨の埋め込み用穴に挿入されて人工歯の土台となるものである。フィクスチャ９００は、例えば、ねじ部９０１と、頭部９０２とを備える。ねじ部９０１の外周面には、雄ねじが形成される。また、ねじ部９０１には、自身の先端９０３近傍の周面に凹部９０８が設けられる。凹部９０８は、ねじ部９０１の先端９０３近傍の周面を起点としてねじ部９０１の径方向に凹む。ねじ部９０１は、セルフタップねじで構成されることが好ましい。フィクスチャ９００は、ねじ部９０１の先端９０３（フィクスチャ９００の先端９０３）から顎骨に挿入される。
【００３４】
頭部９０２は、ねじ部９０１の基端側に設けられる。また、頭部９０２の端部（フィクスチャ９００の後端９０４）には、係合穴９０２Ａが形成される。係合穴９０２Ａは、頭部９０２の端部（フィクスチャ９００の後端９０４）を起点としてねじ部９０１の軸方向に延びる。そして、係合穴９０２Ａは、（図示しない）回動工具の先端と係合可能な形状をしている。フィクスチャ収容容器１を開封した後、フィクスチャ９００の係合穴９０２Ａに回動工具の先端が挿入されると、回動工具の先端が係合穴９０２Ａに係合してハウジング部１０から取り出される。そして、回動工具により、フィクスチャ９００は、歯槽骨の埋め込み用穴に取り付けられる。
【００３５】
また、頭部９０２には、（図示しない）上部構造体が取り付けられる。上部構造体として、例えば、（図示しない）アバットメントおよび（図示しない）人工歯が挙げられる。アバットメントは、人工歯とフィクスチャ９００とを連結する役割を果たす。また、アバットメントは、頭部９０２の係合穴９０２Ａに取り付けられる。そして、アバットメントには、人工歯が装着される。
【００３６】
なお、以下においてフィクスチャ９００のねじ部９０１の軸方向Ａ（図１参照）をフィクスチャ９００の軸方向と見做してそれをフィクスチャ軸方向Ａと定義し、ねじ部９０１の径方向をフィクスチャ９００の径方向（例えば、図１の矢印Ｂ方向）と見做してそれをフィクスチャ径方向と定義する。また、フィクスチャ軸方向Ａにおけるフィクスチャ９００の先端９０３側から後端９０４側に向かう方向をフィクスチャ軸方向Ａにおけるフィクスチャ後端方向Ａ２と定義する。また、フィクスチャ軸方向Ａにおけるフィクスチャ９００の後端９０４側から先端９０３側に向かう方向をフィクスチャ軸方向Ａにおけるフィクスチャ先端方向Ａ１と定義する。
【００３７】
＜ハウジング部＞
図１および図２を参照してハウジング部１０について説明する。ハウジング部１０は、フィクスチャ保持部１１を収容するものである。ハウジング部１０は、図２（Ａ）に示すように、フィクスチャ保持部１１の周囲を取り囲む筒状に形成される。また、ハウジング部１０は、少なくとも一端が開口すればよい。
【００３８】
具体的にハウジング部１０は、図１に示すように、有底筒状の有底筒体１００により構成される。有底筒体１００の内部には、フィクスチャ保持部１１が収容される収容空間１０１が形成される。収容空間１０１は、開口部１０２を通じて外部と連通する。開口部１０２は、有底筒体１００の上端側に設けられる。また、ハウジング部１０は、透明または半透明の材料により構成されることが好ましい。ハウジング部１０の収容物が外部から視認可能となるからである。
【００３９】
ハウジング部１０の内部側底面１０Ｂには、後述するホルダ部１２０の底面に設けられる回転防止用凹部１２０Ａ、または後述するスペーサ部１５０の底面に設けられる回転防止用凹部１５０Ａと係合可能な回転防止用凸部１０Ｃが設けられる。回転防止用凹部１２０Ａ（１５０Ａ）と回転防止用凸部１０Ｃとが係合すると、ホルダ部１２０（スペーサ部１５０）は、ハウジング部１０に対して回転しない。
【００４０】
なお、本実施形態において、フィクスチャ９００がフィクスチャ収容容器１に収容されるとき、ハウジング部１０の軸方向は、フィクスチャ軸方向Ａと略一致する。また、ハウジング部１０の径方向は、フィクスチャ径方向と略一致する。なお、フィクスチャ９００がフィクスチャ収容容器１に収容されるとき、ハウジング部１０の中心軸とはフィクスチャ９００の中心軸とが一致する場合も一致しない場合も本発明に含まれる。
【００４１】
＜フィクスチャ保持部＞
図１〜図３を参照してフィクスチャ保持部１１について説明する。フィクスチャ保持部１１は、フィクスチャ９００を保持するものである。フィクスチャ保持部１１は、図２（Ａ）に示すように、フィクスチャ９００の先端９０３を受け入れ可能なフィクスチャ受入空間１１０を有する。フィクスチャ受入空間１１０は、ハウジング部１０の軸方向（フィクスチャ軸方向Ａ）においてハウジング部１０の開口部１０２と対向する。したがって、フィクスチャ９００は、ハウジング部１０の開口部１０２からフィクスチャ受入空間１１０に挿入可能である。
【００４２】
また、フィクスチャ保持部１１は、係合部１１１を有する。係合部１１１は、図２（Ｂ）に示すように、フィクスチャ受入空間１１０に挿入されたフィクスチャ９００のねじ部９０１の先端９０３の近傍の周面に係合するものである。ねじ部９０１の周面には雄ねじが形成されているため、係合部１１１は、雄ねじ部分と係合しやすい。また、係合部１１１は、フィクスチャ保持部１１のフィクスチャ受入空間１１０を向く側に設けられる。具体的に係合部１１１は、図３（Ａ）に示すように、例えば、フィクスチャ径方向Ｂにおいて、フィクスチャ受入空間１１０と対向するようにフィクスチャ保持部１１に設けられる。
【００４３】
係合部１１１は、フィクスチャ９００のみならず、フィクスチャ９００とは異なる径を有するフィクスチャをも保持することができるように構成される。具体的に係合部１１１は、ハウジング部１０の軸方向（フィクスチャ軸方向Ａ）におけるハウジング部１０の開口部１０２の近位側（例えば、図２（Ａ）の領域Ｐ内のいずれかの位置）において大径のフィクスチャと係合可能である。また、係合部１１１は、ハウジング部１０の軸方向（フィクスチャ軸方向Ａ）におけるハウジング部１０の開口部１０２の遠位側（例えば、図２（Ａ）の領域Ｄ内のいずれかの位置）において小径のフィクスチャと係合可能である。
【００４４】
また、フィクスチャ保持部１１は、生体適合性を有する材料により形成されることが好ましい。生体適合性を有する材料として、例えば、チタンやチタン合金が挙げられるが、これに限定されるものではなく、その他の材料であってもよい。また、フィクスチャ保持部１１は、全体が生体適合性を有する材料で形成されてもよい。また、フィクスチャ保持部１１は、自身の一部が生体適合性を有する材料で形成されてもよい。この場合、フィクスチャ保持部１１のうちフィクスチャ９００と接触する部分が生体適合性を有する材料で形成されることが好ましい。
【００４５】
具体的にフィクスチャ保持部１１は、図２（Ａ）に示すように、複数の板状体１１２〜１１４により構成される。板状体１１２〜１１４は、図２（Ｂ）に示すように、フィクスチャ９００を保持したとき、自身の平面部１１２Ａ〜１１４Ａがフィクスチャ軸方向Ａおよびフィクスチャ径方向に沿うように配置される。つまり、板状体１１２〜１１４の平面部１１２Ａ〜１１４Ａは、フィクスチャ軸方向Ａおよびフィクスチャ径方向により形成される平面内に配置される。そして、板状体１１２〜１１４は、フィクスチャ９００の周方向に等間隔に配置される。結果として、本実施形態の場合、板状体１１２〜１１４は、フィクスチャ９００の中心軸９０５を中心として、フィクスチャ９００における中心軸９０５の近傍からフィクスチャ径方向へ放射状に自身の面（平面部１１２Ａ〜１１４Ａ）が延びると共に、自身の面（平面部１１２Ａ〜１１４Ａ）がフィクスチャ軸方向Ａに延びるようフィクスチャ９００の周方向に等間隔に配置される。
【００４６】
係合部１１１は、フィクスチャ受入空間１１０に向く側の板状体１１２〜１１４の面に設けられる。従って、フィクスチャ受入空間１１０は、係合部１１１により取り囲まれる。フィクスチャ９００がフィクスチャ受入空間１１０に挿入されると、フィクスチャ９００の先端９０３の近傍の周面が係合部１１１に係合する。結果、フィクスチャ９００は、フィクスチャ保持部１１により保持される。
【００４７】
また、フィクスチャ９００がフィクスチャ保持部１１により保持された状態において、フィクスチャ９００の中心軸９０５周りにフィクスチャ９００が自転すると、フィクスチャ９００の凹部９０８は、自転方向において板状体１１２〜１１４の平面部１１２Ａ〜１１４Ａと接触する。これにより、中心軸９０５周りのフィクスチャ９００の自転を防止することができる。
【００４８】
なお、フィクスチャ保持部１１は、３枚以上の板状体により構成されてもよい。また、フィクスチャ保持部１１は、柱状体により構成されてもよい。柱状体は、図３（Ｂ）に示すように、例えば、柱状体２１２〜２１４のように、複数あってもよい。複数の板状体（例えば、板状体１１２〜１１４）における上記説明は、柱状体２１２〜２１４にも同様に適用可能である。
【００４９】
＜係合部＞
次に、図２、図４および図５を参照して係合部１１１について説明する。板状体１１２における係合部１１１は、図２（Ａ）に示すように、ハウジング部１０の軸方向（フィクスチャ軸方向Ａ）に沿ってハウジング部１０の開口部１０２からハウジング部１０の内部に進むに従って保持径が階段状に小さくなる複数の段部１１５により構成される。フィクスチャ９００が保持された状態から見ると、複数の段部１１５は、図２（Ｂ）に示すように、フィクスチャ軸方向Ａに沿ってフィクスチャ９００の先端９０３側に進むに従って保持径が階段状に小さくなる。
【００５０】
各段部１１５は、開口近位側辺部１１５Ａと、開口遠位側辺部１１５Ｂとを有する。開口近位側辺部１１５Ａは、図２（Ａ）に示すように、フィクスチャ軸方向Ａにおいてハウジング部１０の開口部１０２の近位側に設けられる。また、開口近位側辺部１１５Ａは、図４（Ａ）に示すように、フィクスチャ径方向に沿ってフィクスチャ径方向内側（矢印Ｂ方向）へ延びる。
【００５１】
開口遠位側辺部１１５Ｂは、図２（Ａ）に示すように、フィクスチャ軸方向Ａにおいてハウジング部１０の開口部１０２の遠位側に設けられる。また、開口遠位側辺部１１５Ｂは、図２（Ｂ）に示すように、開口近位側辺部１１５Ａのフィクスチャ径方向内側端１１５Ｃから連続してフィクスチャ９００の先端９０３側へ延びる。具体的に開口遠位側辺部１１５Ｂは、図４（Ａ）に示すように、フィクスチャ軸方向Ａにおけるフィクスチャ先端方向Ａ１へ進むに従ってフィクスチャ径方向内側（矢印Ｂ方向）へ延びる。
【００５２】
なお、図４（Ｃ），（Ｄ）に示すように、開口近位側辺部１１５Ａは、フィクスチャ軸方向Ａにおけるフィクスチャ先端方向Ａ１へ進むに従ってフィクスチャ径方向内側（矢印Ｂ方向）へ延びる態様であってもよい。また、図４（Ｂ），（Ｃ）に示すように、開口遠位側辺部１１５Ｂは、フィクスチャ軸方向Ａに平行に延びる態様であってもよい。
【００５３】
すなわち、段部１１５は、図４（Ｂ）に示すように、フィクスチャ径方向に平行にフィクスチャ径方向内側（矢印Ｂ方向）へ延びる開口近位側辺部１１５Ａと、フィクスチャ軸方向Ａに平行に延びる開口遠位側辺部１１５Ｂにより構成されてもよい。また、段部１１５は、図４（Ｃ）に示すように、フィクスチャ軸方向Ａにおけるフィクスチャ先端方向Ａ１へ進むに従ってフィクスチャ径方向内側（矢印Ｂ方向）へ延びる開口近位側辺部１１５Ａと、フィクスチャ軸方向Ａに平行に延びる開口遠位側辺部１１５Ｂにより構成されてもよい。また、段部１１５は、図４（Ｄ）に示すように、フィクスチャ軸方向Ａにおけるフィクスチャ先端方向Ａ１へ進むに従ってフィクスチャ径方向内側（矢印Ｂ方向）へ延びる開口近位側辺部１１５Ａと、フィクスチャ軸方向Ａにおけるフィクスチャ先端方向Ａ１へ進むに従ってフィクスチャ径方向内側（矢印Ｂ方向）へ延びる開口遠位側辺部１１５Ｂにより構成されてもよい。
【００５４】
また、図４（Ｅ）に示すように、係合部１１１は、全体または一部が傾斜部１１８により構成されてもよい。傾斜部１１８は、フィクスチャ軸方向Ａにおけるフィクスチャ先端方向Ａ１へ進むに従ってフィクスチャ径方向内側（矢印Ｂ方向）へ延びる。
【００５５】
以上のような係合部１１１は、フィクスチャ軸方向Ａに沿って大径側係合領域１１６と小径側係合領域１１７とを有する。大径側係合領域１１６は、図５（Ａ）に示すように、先端９０３の近傍の周面の径が大径となるフィクスチャ９００Ａと係合してフィクスチャ９００Ａを保持する領域である。フィクスチャ９００Ａと係合し得るのは、開口近位側辺部１１５Ａ、開口遠位側辺部１１５Ｂ、またはフィクスチャ径方向内側端１１５Ｃである。
【００５６】
フィクスチャ９００Ａと開口近位側辺部１１５Ａとが係合する場合、大径側係合領域１１６は、図６（Ａ）に示すように、フィクスチャ軸方向Ａ（紙面に垂直な方向）から見て重なっている重複部分１１６Ａ〜１１６Ｃの少なくとも一部である。また、フィクスチャ９００Ａと開口遠位側辺部１１５Ｂ（またはフィクスチャ径方向内側端１１５Ｃ）とが係合する場合、大径側係合領域１１６は、図６（Ｂ）に示すように、フィクスチャ９００Ａと開口遠位側辺部１１５Ｂ（またはフィクスチャ径方向内側端１１５Ｃ）とが当接する当接部分１１６Ｄ〜１１７Ｆである。また、大径側係合領域１１６は、図５（Ａ）に示すように、小径側係合領域１１７と比較して、フィクスチャ軸方向Ａにおいてハウジング部１０の開口部１０２の近位側に設けられる。
【００５７】
フィクスチャ９００Ｂと開口近位側辺部１１５Ａとが係合する場合もフィクスチャ９００Ａでの場合と同様に、小径側係合領域１１７は、図６（Ａ）に示すように、フィクスチャ軸方向Ｂ（紙面に垂直な方向）から見て重なっている重複部分１１６Ａ〜１１６Ｃの少なくとも一部である。また、フィクスチャ９００Ｂと開口遠位側辺部１１５Ｂ（またはフィクスチャ径方向内側端１１５Ｃ）とが係合する場合、小径側係合領域１１７は、図６（Ｂ）に示すように、フィクスチャ９００Ｂと開口遠位側辺部１１５Ｂ（またはフィクスチャ径方向内側端１１５Ｃ）とが当接する当接部分１１６Ｄ〜１１７Ｆである。また、小径側係合領域１１７は、図５（Ｂ）に示すように、大径側係合領域１１６と比較して、フィクスチャ軸方向Ａにおいてハウジング部１０の開口部１０２の遠位側に設けられる。
【００５８】
なお、図６（Ａ），（Ｂ）における係合態様は、一例であって、板状体１１２〜１１４の段部１５とフィクスチャ９００Ａの形状およびサイズに応じた様々な係合態様の全てが本発明に含まれる。そして、大径側係合領域１１６および小径側係合領域１１７は、係合態様に応じて決定される。
【００５９】
なお、係合部１１１が傾斜部１１８で構成される場合、大径側係合領域１１６および小径側係合領域１１７は、図６（Ｂ）に示すように、それぞれフィクスチャ９００Ａおよびフィクスチャ９００Ｂと、傾斜部１１８とが係合する領域になる。
【００６０】
＜径方向移動規制部＞
図７を参照して径方向移動規制部１２を説明する。径方向移動規制部１２は、フィクスチャ保持部１１とハウジング部１０のフィクスチャ径方向の相対移動を規制するものである。径方向移動規制部１２は、図７（Ａ）に示すように、例えば、ホルダ部１２０により構成される。ホルダ部１２０は、自身とフィクスチャ保持部１１のフィクスチャ径方向の相対移動が規制されるようフィクスチャ保持部１１を保持する。これにより、フィクスチャ保持部１１は、ホルダ部１２０に対してフィクスチャ径方向に移動しない。
【００６１】
また、ホルダ部１２０は、図７（Ｃ）に示すように、ハウジング部１０の内周面１０Ａと当接して、自身とハウジング部１０のフィクスチャ径方向の相対移動を規制する。これにより、ホルダ部１２０は、ハウジング部１０に対してフィクスチャ径方向に移動しない。
【００６２】
以上のようなホルダ部１２０は、図７（Ｂ）に示すように、例えば、複数の凹部１２１を有する円柱体により構成される。各凹部１２１は、ホルダ部１２０の一方の底面部１２０Ｂを起点としてホルダ部１２０の軸方向（フィクスチャ軸方向Ａ）へ凹む。各凹部１２１は、ホルダ部１２０の中心軸１２０Ｃ近傍を起点としてホルダ部１２０の径方向（フィクスチャ径方向）に放射状に外周面１２０Ｄまで延びるように形成される。また、各凹部１２１は、ホルダ部１２０の周方向に等間隔に配設される。また、各凹部１２１は、それぞれ板状体１１２〜１１４と嵌合可能に形成される。
【００６３】
各凹部１２１に板状体１１２〜１１４が挿入されると、図７（Ａ）に示すように、板状体１１２〜１１４は、底面部１２０Ｂからホルダ部１２０の軸方向（フィクスチャ軸方向Ａ）へ立設される。ただし、各凹部１２１は、ホルダ部１２０の外周面１２０Ｄまで延びて外周面１２０Ｄ側にも開放されている。このため、ホルダ部１２０は、自身と板状体１１２〜１１４のフィクスチャ径方向内側への相対移動を規制するが、自身と板状体１１２〜１１４のフィクスチャ径方向外側への相対移動は規制しない。
【００６４】
本実施形態において板状体１１２〜１１４は、図７（Ｃ）に示すように、それぞれハウジング部１０の内周面１０Ａと当接する当接辺部１１２Ｂ〜１１４Ｂを有する。当接辺部１１２Ｂ〜１１４Ｂは、ハウジング部１０と板状体１１２〜１１４のフィクスチャ径方向外側への相対移動を規制する。
【００６５】
また、ホルダ部１２０は、図７（Ｃ）に示すように、ハウジング部１０の内部に嵌合する形状およびサイズを有する。つまり、ホルダ部１２０は、ハウジング部１０の内周の径と略同じ径を有する。これにより、ホルダ部１２０は、ハウジング部１０に対するフィクスチャ径方向の相対移動が規制される。
【００６６】
以上のように本実施形態でフィクスチャ保持部１１は、ホルダ部１２０と当接辺部１１２Ｂ〜１１４Ｂにより、ハウジング部１０に対するフィクスチャ径方向の相対移動が規制される。
【００６７】
＜凹部の変形例＞
図８を参照して凹部１２１の変形例である凹部１２２〜１２４について説明する。凹部１２２は、図８（Ａ）に示すように、ホルダ部１２０の外周面１２０Ｄまで延びず、外周面１２０Ｄの手前まで延びる。この場合、板状体１１２〜１１４は、図８（Ｂ）に示すように、ハウジング部１０の内周面１０Ａとは当接しない。凹部１２２を有するホルダ部１２０は、自身と板状体１１２〜１１４のフィクスチャ径方向内側への相対移動を規制すると共に、自身と板状体１１２〜１１４のフィクスチャ径方向外側への相対移動をも規制する。すなわち、凹部１２２は、上記当接辺部１１２Ｂ〜１１４Ｂがなくても自身と板状体１１２〜１１４のフィクスチャ径方向外側への相対移動を規制することができる。
【００６８】
凹部１２３は、図８（Ｃ）に示すように、ホルダ部１２０の径方向（フィクスチャ径方向）の自身と対向する位置から見て、Ｌ字型になっている。同様に、凹部１２４は、図８（Ｅ）に示すように、ホルダ部１２０の径方向（フィクスチャ径方向）の自身と対向する位置から見て、Ｔ字型になっている。つまり、凹部１２３，１２４は、ホルダ部１２０の軸方向（フィクスチャ軸方向Ａ）へ凹む凹部１２３Ａ，１２４Ａの最深部から連続してホルダ部１２０の径方向（フィクスチャ径方向）に延びる凹部１２３Ｂ，１２４Ｂを有する。この場合、板状体１１２〜１１４の形状は、凹部１２３，１２４に対応して、Ｌ字型またはＴ字型になる。
【００６９】
凹部１２３，１２４を有するホルダ部１２０は、自身と板状体１１２〜１１４のフィクスチャ径方向内側への相対移動を規制すると共に、自身と板状体１１２〜１１４のフィクスチャ径方向外側への相対移動を規制するが、自身と板状体１１２〜１１４のフィクスチャ径方向外側への相対移動は規制しない。この場合、ホルダ部１２０と板状体１１２〜１１４のフィクスチャ径方向外側への相対移動は、凹部１２１を有するホルダ部１２０の場合と同様に、当接辺部１１２Ｂ〜１１４Ｂにより規制される。なお、凹部１２２と同様に、凹部１２３，１２４がホルダ部１２０の外周面１２０Ｄまで延びず、外周面１２０Ｄの手前まで延びる場合、凹部１２３，１２４は、上記当接辺部１１２Ｂ〜１１４Ｂがなくても自身と板状体１１２〜１１４のフィクスチャ径方向外側への相対移動を規制することができる。
【００７０】
ただし、凹部１２３，１２４は、凹部１２３Ｂ，１２４Ｂを有するため、凹部１２３，１２４を有するホルダ部１２０は、自身と板状体１１２〜１１４のホルダ部１２０の軸方向（フィクスチャ軸方向Ａ）への相対移動を規制する。
【００７１】
＜軸方向移動規制部＞
再び図１および図２を参照して軸方向移動規制部１３について説明する。軸方向移動規制部１３は、フィクスチャ軸方向Ａにおけるフィクスチャ保持部１１の移動を規制するものである。軸方向移動規制部１３は、図１に示すように、例えば、ホルダ部１２０、スペーサ部１５０および蓋部１４により構成される。ホルダ部１２０は、自身とフィクスチャ保持部１１のフィクスチャ軸方向Ａにおけるフィクスチャ先端方向Ａ１の相対移動が規制されるようフィクスチャ保持部１１を保持する。これにより、フィクスチャ保持部１１は、ホルダ部１２０に対してフィクスチャ軸方向Ａにおけるフィクスチャ先端方向Ａ１に移動しない。
【００７２】
また、ホルダ部１２０は、スペーサ部１５０と当接して、自身とスペーサ部１５０のフィクスチャ径方向の相対移動が規制される。これにより、ホルダ部１２０は、スペーサ部１５０に対してフィクスチャ軸方向Ａにおけるフィクスチャ先端方向Ａ１に移動しない。また、スペーサ部１５０は、ハウジング部１０の内部側底面１０Ｂと当接して、自身とハウジング部１０のフィクスチャ軸方向Ａにおけるフィクスチャ先端方向Ａ１の相対移動が規制される。したがって、フィクスチャ保持部１１とハウジング部１０のフィクスチャ軸方向Ａにおけるフィクスチャ先端方向Ａ１の相対移動は、ホルダ部１２０およびスペーサ部１５０により規制される。
【００７３】
なお、スペーサ部１５０はなくてもよい。この場合、ホルダ部１２０がハウジング部１０の内部側底面１０Ｂと当接する。そして、フィクスチャ保持部１１とハウジング部１０のフィクスチャ軸方向Ａにおけるフィクスチャ先端方向Ａ１の相対移動は、ホルダ部１２０により規制される。
【００７４】
＜蓋部＞
図２および図９を参照して蓋部１４について説明する。蓋部１４は、ハウジング部１０の開口部１０２を覆うものである。蓋部１４は、図２（Ａ）に示すように、例えば、筒状体１４０と、内部底面体１４１とを備える。筒状体１４０の内径は、ハウジング部１０の外径と略同じ、またはわずかに大きい。内部底面体１４１は、筒状体１４０の内部に設けられる底面部分である。また、内部底面体１４１は、凸部１４２を有する。凸部１４２は、内部底面体１４１のハウジング側平面部１４１Ａからフィクスチャ軸方向Ａにおけるフィクスチャ先端方向Ａ１側に凸となる部分である。
【００７５】
図２（Ｂ）に示すように、フィクスチャ保持部１１でフィクスチャ９００が保持された状態のハウジング部１０に蓋部１４が装着されると、凸部１４２は、フィクスチャ９００の係合穴９０２Ａに挿入される。そして、内部底面体１４１のハウジング側平面部１４１Ａがフィクスチャ９００の頭部９０２の後端９０４に当接する。結果、フィクスチャ９００は、フィクスチャ軸方向Ａとハウジング部１０の軸方向が平行になる姿勢を取る。
【００７６】
なお、以上は、フィクスチャが所謂、１回法のものである場合の蓋部１４について説明したが、フィクスチャが所謂、２回法のものであっても以上の説明は適用可能である。ただし、図９（Ａ）に示すように、２回法のフィクスチャ９１０の場合、内部底面体１４１よりもフィクスチャ軸方向Ａにおける後端方向Ａ２側の空間１４３に別途、スクリュー部材９０６が収容される。また、ハウジング側平面部１４１Ａとは反対側の内部底面体１４１の平面部１４１Ｂを起点としてフィクスチャ軸方向Ａにおける先端方向Ａ１側に凹む凹部１４４が内部底面体１４１に設けられる。また、筒状体１４０の天井面の開口部１４５を覆う蓋部１４Ａが別途必要になる。蓋部１４Ａは、有底筒状体により構成される。
【００７７】
図９（Ｂ）に示すように、スクリュー部材９０６が凹部１４４に挿入されるように空間１４３に収容されて、蓋部１４Ａが蓋部１４に装着されると、蓋部１４Ａの底面部１４ＡＢは、スクリュー部材９０６の頭部９０７に当接する。結果、スクリュー部材９０６は、凹部１４４と蓋部１４Ａの底面部１４ＡＢとにより挟持されて、自身の軸方向とハウジング部１０の軸方向が平行になる姿勢を取る。このような２回法のフィクスチャ９１０を収容するフィクスチャ収容容器も本発明の範囲に含まれる。
【００７８】
＜軸方向延在部＞
図１０および図１１を参照して、軸方向延在部１５について説明する。フィクスチャには、様々な径を有するものや、フィクスチャ軸方向Ａにおける長さ（以下、フィクスチャ軸方向長さと呼ぶ。）が異なるものが多数存在する。例えば、図１０（Ａ），（Ｂ）に示すように、保持径が大径となるフィクスチャのフィクスチャシリーズ９０Ａ（９００ＡＡ〜９００ＡＤ）や、保持径が小径となるフィクスチャのフィクスチャシリーズ９０Ｂ（９００ＢＡ〜９００ＢＤ）がある。
【００７９】
フィクスチャ収容容器１にこれらのフィクスチャシリーズ９０Ａ，９０Ｂを収容する場合、図１１（Ａ）に示すように、フィクスチャ保持部１１（例えば、フィクスチャ保持部１１の先端面１１Ａ）と蓋部１４（例えば、ハウジング側平面部１４１Ａ）との間のフィクスチャ軸方向Ａにおける距離Ｌを調整する必要がある。
【００８０】
軸方向延在部１５は、距離Ｌを調整する役割を果たす。軸方向延在部１５は、ハウジング部１０の内部側底面１０Ｂとフィクスチャ保持部１１との間に介在してフィクスチャ軸方向Ａにおけるフィクスチャ保持部１１の位置を決定するものである。
【００８１】
軸方向延在部１５は、例えば、スペーサ部１５０により構成される。スペーサ部１５０は、ホルダ部１２０とハウジング部１０の内部側底面１０Ｂとの間に介在されるものである。スペーサ部１５０は、例えば、円柱体により構成される。距離Ｌを調整するのに、スペーサ部１５０は、フィクスチャ軸方向長さが異なるものが複数用意される。
【００８２】
ここで、ハウジング部１０、フィクスチャ保持部１１、ホルダ部１２０、および蓋部１４の形状およびサイズが同じであるフィクスチャ収容容器１にフィクスチャシリーズ９０Ｂ（９００ＢＡ〜９００ＢＤ）を収容する場合について考える。図１１（Ａ）に示すように、フィクスチャ９００ＢＡは、スペーサ部１５０がなくてもフィクスチャ収容容器１に収容可能である。
【００８３】
フィクスチャ９００ＢＡよりもフィクスチャ軸方向長さが短いフィクスチャ９００ＢＢは、フィクスチャ収容容器１に収容する場合、図１１（Ｂ）に示すように、ホルダ部１２０とハウジング部１０の内部側底面１０Ｂとの間にスペーサ部１５０Ａを介在させて距離Ｌを調整する必要がある。
【００８４】
また、フィクスチャ９００ＢＢよりもフィクスチャ軸方向長さが短いフィクスチャ９００ＢＣは、フィクスチャ収容容器１に収容する場合、図１１（Ｃ）に示すように、ホルダ部１２０とハウジング部１０の内部側底面１０Ｂとの間にスペーサ部１５０Ｂを介在させて距離Ｌを調整する必要がある。なお、スペーサ部１５０Ｂは、スペーサ部１５０Ａよりもフィクスチャ軸方向長さが長い。
【００８５】
また、フィクスチャ９００ＢＣよりもフィクスチャ軸方向長さが短いフィクスチャ９００ＢＤは、フィクスチャ収容容器１に収容する場合、図１１（Ｄ）に示すように、ホルダ部１２０とハウジング部１０の内部側底面１０Ｂとの間にスペーサ部１５０Ｃを介在させて距離Ｌを調整する必要がある。なお、スペーサ部１５０Ｃは、スペーサ部１５０Ｂよりもフィクスチャ軸方向長さが長い。以上のようにスペーサ部１５０を用いて距離Ｌは調整される。
【００８６】
＜軸方向延在部の変形例１＞
図１２を参照して、軸方向延在部１５の変形例について説明する。軸方向延在部１５は、例えば、ホルダ部１２０のみで構成されてもよい。この場合、図１２（Ａ）〜（Ｄ）に示すように、距離Ｌを調整するのに、ホルダ部１２０は、フィクスチャ軸方向長さが異なるものが複数用意される。本変形例では、軸方向延在部１５は、ホルダ部１２０とスペーサ部１５０が一体となったような態様になっている。
【００８７】
＜軸方向延在部の変形例２＞
図１３を参照して、軸方向延在部１５の別の変形例について説明する。軸方向延在部１５は、例えば、フィクスチャ保持部１１のフィクスチャ軸方向長さを延長するフィクスチャ保持側延長部１５１により構成される。
【００８８】
フィクスチャ保持側延長部１５１は、フィクスチャ保持部１１の係合部１１１が形成される係合部形成領域Ｒよりもフィクスチャ軸方向Ａの先端方向Ａ１側における長さを延長するものである。すなわち、係合部形成領域Ｒのフィクスチャ軸方向長さは変わらない。
【００８９】
なお、フィクスチャ保持側延長部１５１は、フィクスチャ保持部１１と別部材であってもよいし、フィクスチャ保持部１１と一体形成されるものであってもよい。また、フィクスチャ保持側延長部１５１は、板状体であってもよいし、柱状体であってもよいし、その他の形状のものであってもよい。図１３（Ａ）〜（Ｄ）に示すように、距離Ｌを調整するのに、フィクスチャ保持側延長部１５１は、フィクスチャ軸方向長さが異なるものが複数用意される。
【００９０】
＜フィクスチャ収容容器シリーズ概要＞
図１０〜１３を参照して、フィクスチャ収容容器シリーズについて説明する。フィクスチャは、上記において説明したように、様々な径やフィクスチャ軸方向長さを有するものが存在する。つまり、図１０（Ａ），（Ｂ）に示すように、保持径が大径となるフィクスチャ９００Ａのフィクスチャシリーズ９０Ａや、保持径が小径となるフィクスチャ９００Ｂのフィクスチャシリーズ９０Ｂがある。フィクスチャ収容容器シリーズは、これらの複数のフィクスチャを収容可能な複数のフィクスチャ収容容器により構成される。
【００９１】
フィクスチャ収容容器シリーズにおいて、フィクスチャ収容容器を構成する部品はなるべく共用可能な態様にすることが好ましい。フィクスチャ保持部１１は、上記において説明したように、異なる径を有するフィクスチャを保持することができるため、径の異なる複数のフィクスチャに対応することができる。このため、フィクスチャ保持部１１は、フィクスチャ収容容器シリーズにおいて、共用部品とすることが好ましい。
【００９２】
残りの部品でフィクスチャ軸方向長さの異なる複数のフィクスチャに対応させる必要がある。フィクスチャがフィクスチャ収容容器１に収容されるには、図１１（Ａ）に示すように、フィクスチャ保持部１１と蓋部１４との間のフィクスチャ軸方向Ａにおける距離Ｌを調整する必要がある。上記距離を調整することを実現したフィクスチャ収容容器シリーズを以下説明する。
【００９３】
＜第一フィクスチャ収容容器シリーズ＞
第一フィクスチャ収容容器シリーズでは、図１１（Ａ）〜（Ｄ）に示すように、ハウジング部１０、フィクスチャ保持部１１、ホルダ部１２０、蓋部１４を共用部品としている。そして、上記距離を調整するのに、スペーサ部１５０を用いている。
【００９４】
以上においてフィクスチャの径毎に、ホルダ部１２０が着色される色を変えてもよい。この場合、例えば、図１４（Ａ）〜（Ｄ）に示すように、大径のフィクスチャ９００ＢＡ，９００ＢＢを収容するフィクスチャ収容容器１のホルダ部１２０の色と、小径のフィクスチャ９００ＡＡ，９００ＡＢを収容するフィクスチャ収容容器１のホルダ部１２０の色とを異なる色にすればよい。このようにすれば、ハウジング部１０が透明または半透明な材料で構成される場合、ホルダ部１２０の色によってフィクスチャの径を判断することができる。そして、歯科医師が誤って想定外の径のフィクスチャを選択することを防止することができる。
【００９５】
また、フィクスチャの径毎に、蓋部１４が着色される色を変えてもよい。この場合、例えば、図１４（Ａ）〜（Ｄ）に示すように、大径のフィクスチャ９００ＢＡ，９００ＢＢを収容するフィクスチャ収容容器１の蓋部１４の色と、小径のフィクスチャ９００ＡＡ，９００ＡＢを収容するフィクスチャ収容容器１の蓋部１４の色とを異なる色にすればよい。このようにすれば、ハウジング部１０が透明または半透明な材料で構成されなくても、蓋部１４の色によってフィクスチャの径を判断することができる。なお、蓋部１４は、ホルダ部１２０と同じ色に着色されることが好ましい。蓋部１４とホルダ部１２０が同じ色であった方が、歯科医師はフィクスチャの径をより確実に判断しやすくなるからである。このような前提のもとでは、フィクスチャ収容容器において蓋部１４とホルダ部１２０が異なる色である場合、歯科医師またはフィクスチャ収容容器の製造者は、フィクスチャ収容容器に収められたフィクスチャの径が想定している径ではない可能性があることに容易に気付くことができる。ただし、２回法のフィクスチャを収容するフィクスチャ収容容器で第一フィクスチャ収容容器シリーズが構成される場合、図９に示す蓋部１４Ａは、透明または半透明な材料で構成されることが好ましい。蓋部１４にスクリュー部材が収容されているかどうかを外部から視認可能となるからである。
【００９６】
なお、径毎のみならず、フィクスチャ軸方向長さ毎にホルダ部１２０が着色される色を変えてもよい。また、蓋部１４またはホルダ部１２０の代わりに他の部品の着色される色を変えてもよい。これは以下においても同様である。
【００９７】
＜第二フィクスチャ収容容器シリーズ＞
第二フィクスチャ収容容器シリーズでは、図１２（Ａ）〜（Ｄ）に示すように、ハウジング部１０、フィクスチャ保持部１１、蓋部１４を共用部品としている。そして、上記距離を調整するのに、ホルダ部１２０を用いている。
【００９８】
＜第三フィクスチャ収容容器シリーズ＞
第三フィクスチャ収容容器シリーズでは、図１３（Ａ）〜（Ｄ）に示すように、ハウジング部１０、フィクスチャ保持部１１、ホルダ部１２０、蓋部１４を共用部品としている。そして、上記距離を調整するのに、フィクスチャ保持側延長部１５１を用いている。
【００９９】
以上のようなフィクスチャ収容容器シリーズによれば、上記距離を調整する部品は一つで足り、残りの部品は共用化できるため、部品の管理の煩雑さや、コストを低減することができる。特に、以上のようなフィクスチャ収容容器シリーズでは、高価な生体適合性（例えば、チタン、チタン合金）を材料に用いるフィクスチャ保持部１１を共用化するため、フィクスチャ収容容器シリーズに要するコストを低減することができる。
【０１００】
尚、本発明のフィクスチャ収容容器およびフィクスチャ収容容器シリーズは、上記した実施の形態に限定されるものではなく、本発明の要旨を逸脱しない範囲内において種々変更を加え得ることは勿論である。
【符号の説明】
【０１０１】
１  フィクスチャ収容容器
１０  ハウジング部
１１  フィクスチャ保持部
１２  径方向移動規制部
１３  軸方向移動規制部
１４，１４Ａ  蓋部
１５  軸方向延在部
９０Ａ，９０Ｂ  フィクスチャシリーズ
１００  有底筒体
１０１  収容空間
１０２  開口部
１１０  フィクスチャ受入空間
１１１  係合部
１１２，１１３，１１４  板状体
１１２Ａ，１１３Ａ，１１４Ａ  平面部
１１２Ｂ，１１３Ｂ，１１４Ｂ  当接辺部
１１５  段部
１１５Ａ  開口近位側辺部
１１５Ｂ  開口遠位側辺部
１１５Ｃ  フィクスチャ径方向内側端
１１６  大径側係合領域
１１７  小径側係合領域
１１８  傾斜部
１２０  ホルダ部
１２１，１２２，１２３，１２４，１２３Ａ，１２４Ａ，１２３Ｂ，１２４Ｂ  凹部
１４０  筒状体
１４１  内部底面体
１５０，１５０Ａ，１５０Ｂ，１５０Ｃ  スペーサ部
１５１  フィクスチャ保持側延長部
２１２，２１３，２１４  柱状体
９００Ａ，９００Ｂ，９００ＡＡ，９００ＡＢ，９００ＡＣ，９００ＡＤ，９００ＢＡ，９００ＢＢ，９００ＢＣ，９００ＢＤ    フィクスチャ
【図１】
2019097680.tif 000003
【図２】
2019097680.tif 000004
【図３】
2019097680.tif 000005
【図４】
2019097680.tif 000006
【図５】
2019097680.tif 000007
【図６】
2019097680.tif 000008
【図７】
2019097680.tif 000009
【図８】
2019097680.tif 000010
【図９】
2019097680.tif 000011
【図１０】
2019097680.tif 000012
【図１１】
2019097680.tif 000013
【図１２】
2019097680.tif 000014
【図１３】
2019097680.tif 000015
【図１４】
2019097680.tif 000016
【図１５】
2019097680.tif 000017